(57)【要約】【課題】  作業の際の利便性を高めることができ、後付けやリフォーム工事等の際の施工性が良く、さらには、見栄えも良い（意匠性が高い）キッチンを実現する。【解決手段】  対面キッチン１は、キッチンとダイニングとの間に対面カウンター１１を備えた対面キッチンにおいて、対面カウンター１１に、電源１６からの電源コード１８に接続された電源供給ボックス１３を備える。対面キッチン１は、対面カウンター１１の側方にトールキャビネット４を備え、トールキャビネット４の対面カウンター１１側の側板部である側板４ａに電源コードを挿通させる溝４ｂが形成されている。電源供給ボックス１３は、キッチン近傍で使用される機器の電源コードが接続可能なコンセント１４を備え、また、対面カウンター１１を照らす照明器具の照明スイッチ１５を備える。【選択図】図３
2005095337.tif 000002
【特許請求の範囲】
【請求項１】
キッチンとダイニングとの間に対面カウンターを備えた対面キッチンにおいて、前記対面カウンターに、電源からの電源コードに接続された電源供給ボックスを備えたことを特徴とする対面キッチン。
【請求項２】
前記電源供給ボックスは、前記対面カウンターの下部に設けられた開口収納部に備えられることを特徴とする請求項１に記載の対面キッチン。
【請求項３】
前記対面カウンターの側方にトールキャビネットを備え、前記トールキャビネットの前記対面カウンター側の側板部に、前記電源供給ボックスを設けたことを特徴とする請求項１又は２に記載の対面キッチン。
【請求項４】
前記対面カウンターの側方にトールキャビネットを備え、前記トールキャビネットの前記対面カウンター側の側板部に前記電源コードを挿通させる溝が形成されていることを特徴とする請求項１から３のいずれかに記載の対面キッチン。
【請求項５】
前記電源供給ボックスは、キッチン近傍で使用される機器の電源コードが接続可能なコンセントを備えたことを特徴とする請求項１から４のいずれかに記載の対面キッチン。
【請求項６】
前記電源供給ボックスは、前記対面カウンターを照らす照明器具の照明スイッチを備えたことを特徴とする請求項１から５のいずれかに記載の対面キッチン。
【請求項７】
前記電源供給ボックスは、情報通信回線の接続口を備えたことを特徴とする請求項１から６のいずれかに記載の対面キッチン。
【請求項８】
前記電源供給ボックスに替えて又は前記電源供給ボックスと共に、オーディオ機器及び／又は情報端末機器を備えたことを特徴とする請求項１から７のいずれかに記載の対面キッチン。
【発明の詳細な説明】
【技術分野】
【０００１】
この発明は、キッチン（厨房装置）に関し、特に、キッチンとリビングとの間に対面カウンターを備えた対面式のキッチンに関する。
【背景技術】
【０００２】
システムキッチンは、シンク（流し台）、コンロ、キャビネット、カウンター等がそれぞれユニット化され、組み合わされて構成されている。このようなシステムキッチンの一つに、キッチンとリビングとの間に対面カウンターを備えた対面式のキッチン（対面キッチン）がある。対面キッチンには、キャビネットや対面カウンター周辺を照明する照明器具が取り付けられることが多い。
【０００３】
下記の特許文献１には、レンジが嵌め込まれたカウンターと、そのカウンターを支持している下部収納キャビネットとを備え、キッチンとダイニングとの間に設置されるキッチンユニットにおいて、前記レンジの後方にバックパネルが立設され、バックパネルの側部に、前記カウンターとほぼ平行になるように配設された照明パネルの一端が取り付けられているキッチンユニットが開示されている。なお、このキッチンユニットでは、キッチン側及びダイニング側の下部収納キャビネットにコンセントが設けられている（特許文献１参照）。
【０００４】
また、例えば対面カウンターの上方が開放され照明パネル等も取り付けられていないタイプの対面キッチンの場合、対面カウンター周辺を照らす照明器具及び照明器具のスイッチ（照明スイッチ）は、対面キッチンにおけるコンロの背後かつ上方に設けられたキャビネットの上部に取り付けられ得る。
【０００５】
上記のような対面キッチンの対面カウンターやその近傍には、通常、コンセントは設置されていない。なお、下記の特許文献２には、電気器具を化粧が施された露出面に備え、中空で内部空間が配線スペースとされ、電気器具への配線がその配線スペース内に納められる機能パネルが、システムキッチンに組み込まれたキャビネットの側板外面に配設されるシステムキッチンが開示されている（特許文献２参照）。
【０００６】
一方、対面キッチンのキッチンスペースで調理作業を行いながら、音楽やテレビの音声等を聞きたい場合がある。しかし、対面キッチン、特に対面カウンター周辺には、従来、オーディオ機器やテレビ、パソコン等の情報端末機器を設置する場所やそのための設備がなかった。したがって、これらのオーディオ機器や情報端末機器は、ダイニングやリビング等の対面キッチンから少し離れた位置に配置されていることが多い。このため、対面キッチンのキッチンスペースで調理作業をしつつ、少し離れた位置に配置されたオーディオ機器や情報端末機器からの音楽や音声等を聞くために、調理の作業場所を移動する都度、音量の調整をしばしば行っていた。
【特許文献１】特開平１０−１６５２４４号公報（第１，３頁、第１図）
【特許文献２】特開２００３−５２４６７号公報（第１頁、第１図）
【発明の開示】
【発明が解決しようとする課題】
【０００７】
しかしながら、上記対面キッチンにおいて、デザイン性、施工性、及び利便性の観点から、対面カウンター等を照明する照明器具及びその照明スイッチの取り付け位置が問題となる。特に、対面カウンターの上方が開放され照明パネル等も取り付けられていないタイプの対面キッチンにおいては、照明器具及びその照明スイッチを、コンロの背後かつ上方に設けられたキャビネットの上部に取り付けると、対面キッチンで調理作業をする者や対面カウンターから、照明器具及び照明スイッチまでの距離が遠くなってしまう。このため、照明の効果が低下すると共に、照明スイッチの操作が扱いにくい。
【０００８】
また、キッチンやダイニングの壁に対面カウンターを照明する照明スイッチを設けることも考えられる。この場合、対面キッチンは、対面カウンターの上方が壁に面していないため、対面キッチンから離れた位置にあるキッチンの壁やダイニングの壁に照明スイッチを設けなければならない。このため、これらの壁に設けられたスイッチは、対面カウンターの照明スイッチか、他のスイッチか区別し難い。さらには、対面キッチンのリフォーム工事を行う場合、対面カウンターの照明スイッチを設けるための配線工事が大がかりとなってしまい、面倒である。
【０００９】
さらには、調理作業の便宜上、ミキサー等の家電製品を対面カウンターやシンク（流し台）周辺で使用したい場合、従来の対面キッチンでは、対面カウンターやその近傍にコンセントが設置されていないため、対面カウンターから離れた場所や壁面等に設けられたコンセントに家電製品の電源コードを接続する必要がある。このようにして、対面カウンターから離れた場所のコンセントに接続された家電製品の電源コードは、作業場所である対面カウンター近傍まで引き回されて（延ばされて）きているため、見栄えが悪かったり、調理作業や移動の妨げとなったりする。さらには、引き回されて（延ばされて）きている家電製品の電源コードを蹴ったり引っかけたりして、家電製品を破損する危険性もある。複数の家電製品を対面カウンター周辺で同時に使用したい場合は、なおさらであり、それに加えて、コンセントの数が足りなくなるという課題も生じ得る。
【００１０】
一方、従来の対面キッチンの対面カウンター周辺には、オーディオ機器や情報端末機器の設置場所やそのための設備がないので、対面キッチンのキッチンスペースで調理作業をしつつ、リビング等の離れた場所に配置されたオーディオ機器等を聞くために、調理の作業場所を移動する都度、音量の調整を行わなければならず、面倒である。また、オーディオ機器等を、設置場所が設けられていない対面カウンター周辺に、電源コードを延長する等によりたとえ配置するとしても、見栄えが悪くなると共に、調理作業の場所を確保し難くなる。
【００１１】
本発明は、作業の際の利便性を高めることができ、後付けやリフォーム工事等の際の施工性が良く、さらには、見栄えも良い（意匠性が高い）キッチンを実現することを課題とするものである。
【課題を解決するための手段】
【００１２】
本発明は上記課題を解決するために、キッチンとダイニングとの間に対面カウンターを備えた対面キッチンにおいて、前記対面カウンターに、電源からの電源コードに接続された電源供給ボックスを備えたことを特徴とする対面キッチンを提供する。
【００１３】
前記電源供給ボックスは、前記対面カウンターの下部に設けられた開口収納部に備えられてもよい。
【００１４】
前記対面カウンターの側方にトールキャビネットを備え、前記トールキャビネットの前記対面カウンター側の側板部に、前記電源供給ボックスを設けてもよい。
【００１５】
前記対面カウンターの側方にトールキャビネットを備え、前記トールキャビネットの前記対面カウンター側の側板部に前記電源コードを挿通させる溝が形成されていることが好ましい。
【００１６】
前記電源供給ボックスは、キッチン近傍で使用される機器の電源コードが接続可能なコンセントを備えることが好ましい。
【００１７】
前記電源供給ボックスは、前記対面カウンターを照らす照明器具の照明スイッチを備えることが好ましい。
【００１８】
前記電源供給ボックスは、情報通信回線の接続口を備えることが好ましい。
【００１９】
前記電源供給ボックスに替えて又は前記電源供給ボックスと共に、オーディオ機器及び／又は情報端末機器を備えることが好ましい。
【発明の効果】
【００２０】
以上の構成から成る本発明に係る対面キッチンによると、作業の際の利便性を高めることができ、後付けやリフォーム工事等の際の施工性が良く、さらには、見栄えも良い（意匠性が高い）。
【発明を実施するための最良の形態】
【００２１】
本発明に係る対面キッチンを実施するための最良の形態を実施例に基づいて図面を参照して説明する。
【実施例１】
【００２２】
図１及び図２は、本発明に係る対面キッチンの実施例１を説明する斜視図である。図１には、キッチン側から見た対面キッチン１の全体構成が示され、図２には、ダイニング側から見た対面キッチン１の全体構成が示されている。本発明に係る対面キッチン１は、対面式のキッチンであり、図１、図２に示すように、キッチンキャビネット２とダイニング側のダイニングキャビネット３とが互いに当接されて配置されている。
【００２３】
ダイニングキャビネット３の一端側（図１の左側、図２の右側）には、トールキャビネット（背の高いキャビネット）４が配置されており、トールキャビネット４の側方に隣接して対面カウンター１１が配置されている。即ち、トールキャビネット４の高さは、対面カウンター１１の高さよりも高い。対面カウンター１１の開放端側であってダイニングキャビネット３の他端側（図１の右側、図２の左側）には、サイドパネル５が当接されて配置されている。キッチンキャビネット２は、天板６、シンク７、水栓８、レンジ９等を備えており、レンジ９の上方には、レンジフード１０を備えている。対面カウンター１１の高さは、キッチンキャビネット２の天板６の高さよりも高くなっており、その高さ分だけ、対面カウンター１１の下部には、例えばキッチン側に開口部を有する開口収納部１２が設けられている。この開口収納部１２は、ダイニングキャビネット３のちょうど上方に位置している。
【００２４】
本発明の特徴の一つは、対面カウンター１１に、電源供給ボックス１３を備えたことである。より詳しくは、対面カウンター１１の端部に、電源供給ボックス１３が備えられている。図３（ａ）に、電源供給ボックス１３を備えた本発明に係る対面キッチン１の部分的な拡大図を示す。図３（ａ）では、対面キッチン１において、トールキャビネット４と、対面カウンター１１と、対面カウンター１１の端部１１ａに備えられた電源供給ボックス１３と、が拡大されて示されている。なお、図３（ａ）では、図１に示したレンジフード１０は、省略されている。
【００２５】
本実施例では、電源供給ボックス１３は、対面キッチン１において、トールキャビネット４の側方に位置する対面カウンター１１の端部１１ａに備えられている。さらに具体的には、電源供給ボックス１３の上面１３ａは、対面カウンター１１の上面に設けられており、電源供給ボックス１３の側面１３ｂは、対面カウンター１１の少なくともキッチン側の側面に設けられている。さらに、電源供給ボックス１３の側面を、対面カウンター１１のダイニング側の側面（図示せず）にも設けることができる。なお、電源供給ボックス１３の側方であって、かつ、対面カウンター１１の下部には、キッチン側に開口部を有する開口収納部１２が設けられている。
【００２６】
電源供給ボックス１３には、例えばコンセント１４や照明スイッチ１５が設けられている（備えられている）。本実施例では、電源供給ボックス１３の上面１３ａ及び側面１３ｂにコンセント１４が設けられている。電源供給ボックス１３のコンセント１４には、対面キッチン１近傍、例えば、天板６上や対面カウンター１１上やレンジ９付近で使用される家電製品等の機器の電源コードを接続することができる。コンセント１４を電源供給ボックス１３の上面１３ａ及び側面１３ｂに設ける構成とすることで、コンセント１４の数を増やすことができ、複数の家電製品を対面キッチン１において使用する場合にも対応できる。
【００２７】
照明スイッチ１５は、対面カウンター１１を照らす照明器具１６（図３（ａ）には図示せず。以下に述べる図３（ｂ）参照）を消灯・点灯する（オン・オフする）スイッチである。なお、図３（ａ）では、照明スイッチ１５を電源供給ボックス１３のキッチン側の側面１３ｂに設けているが、電源供給ボックス１３の上面１３ａに設けても良い。
【００２８】
コンセント１４や照明スイッチ１５を電源供給ボックス１３の上面１３ａに設ければ、ダイニング側及びキッチン側の双方から容易に使用することができ、便利である。
【００２９】
図３（ｂ）には、電源１７、電源供給ボックス１３、及び照明器具１６の配置及び配線図を模式的に示す。電源供給ボックス１３は、電源１７からの電源コード１８に接続されており、コンセント１４や照明スイッチ１５、さらには照明スイッチ１５を経由して対面カウンター１１を照らす照明器具１６へ、電源１７からの電気を供給する。
【００３０】
一方、図１、図３（ａ）に示されるように、対面カウンター１１の側方にはトールキャビネット４が備えられている。そして、トールキャビネット４の対面カウンター１１側の側面には、側板部である側板４ａが設けられている。この側板４ａが、トールキャビネット４の対面カウンター１１側の壁面を構成している。側板４ａの内面４ｇには、上下方向を長手方向とする溝（電源溝、配線溝）４ｂが形成されている。電源供給ボックス１３に接続されるべき電源１７からの電源コード１８は、この溝４ｂに挿通される。つまり、電源１７からの電源コード１８を、天井を伝って配線し、トールキャビネット４に形成された側板４ａの溝４ｂに挿通することにより、電源供給ボックス１３に接続する。なお、図２で示される対面キッチン１には、電源供給ボックス１３に接続される電源コード１８の配線位置（トールキャビネット４の側板４ａの溝４ｂに挿通される電源コード１８の配線位置）が点線Ａで示されている。
【００３１】
また、トールキャビネット４の側板４ａに、対面カウンター１１を照らす照明器具１６を取り付けることが可能である。図３（ａ）では、側板４ａに照明器具１６の取り付け位置４ｃが示されている他、側板４ａの内面４ｇに沿って配線すべき照明器具１６用の電源コード位置が、点線４ｆで示されている。なお、照明器具１６の取り付け位置４ｃには、照明器具１６の電源コードを通す孔４ｄが穿設されている。
【００３２】
上述のように本実施例では、天井からトールキャビネット４の側板４ａを経由して、対面カウンター１１に設けられた電源供給ボックス１３へ電源コード１８の配線接続を行う。このように構成することで、配線が人目に付かず、すっきりと体裁良くできるという効果が生じる。
【００３３】
そして、電源供給ボックス１３に設けられた（備えられた）コンセント１４に、家電製品等の機器の電源コードを接続することにより、対面カウンター１１近傍、言い換えれば調理場所（スペース）の近傍において、調理作業時に、家電製品等の機器を容易に使用することができる。したがって、家電製品等の機器を、対面カウンター１１から離れた場所に設けられたコンセントに接続して電源コードを調理場所まで引き回してくる必要がなくなり、見栄えもよく、電源コードが調理作業やキッチンスペースにおける移動の妨げにならないため、調理作業時の利便性を高めることができる。
【００３４】
さらには、電源供給ボックス１３のコンセント１４に家電製品等の機器の電源コードを接続すれば、機器の近くで電源供給ボックス１３から電源を供給することができる。このため、機器の電源コードを蹴ったり引っかけたりして、機器を破損する危険性がなくなり、安全性を高めることができる。
【００３５】
また、上述したように、照明器具１６用の電源コードが、側板４ａに取り付けられる照明器具１６から側板４ａの内面４ｇに沿って配線され、電源供給ボックス１３に接続される。このため、電源供給ボックス１３に設けられた照明スイッチ１５を操作することにより、照明器具１６を点灯・消灯させることができる。したがって、対面カウンター１１近傍において、調理作業等を行いながら、手軽に照明器具１６の点灯・消灯の操作を行うことができ、利便性が高められる。
【００３６】
さらに、本発明に係る対面キッチン１では、上述したようにトールキャビネット４の側板４ａを経由して（側板４ａの内面４ｇに形成された溝４ｂに挿通して）電源コードを配線するので、リフォーム時においても、既築の壁内に電源コードを配線する必要がなくなり、施工性が良くなる。また、電源コードは側板４ａ内に形成された溝４ｂを通って配線されるので、外側から電源コードが見えず、見栄えも良い。
【００３７】
なお、本実施例では、電源コード１８の配線位置は、トールキャビネット４の側板４ａに形成された溝４ｂに挿通することとした（図２の点線Ａ参照）が、他の配線位置を考えることもできる。例えば、図２の点線Bで示されるように、電源供給ボックス１３に接続された電源コード１８を、トールキャビネット４を構成する、側板４ａ以外の他の壁面の内側（例えばレンジ９側の仕切壁の内面や、トールキャビネット４の底板の内面や、トールキャビネット４内部の仕切板等）に沿って通し、電源１７に接続することもできる。
【００３８】
また、図２の点線Ｃで示されるように、電源供給ボックス１３に接続された電源コード１８を、対面カウンター１１の底板（床板、底面の板）１２ａ（図３（ａ）参照）の下方（裏面）、及び、対面カウンター１１下方に位置するダイニングキャビネット３の側板内に沿って通し、電源１７に接続することにしてもよい。この場合について、以下にさらに説明する。
【００３９】
図６（ａ）は、ダイニングキャビネット３の内部を示す部分的な分解斜視図である。ダイニングキャビネット３は接合部３ｆを有しており（図２参照）、接合部３ｆでは、２枚の側板３ａ、３ｃが接合されてダイニングキャビネット３が作成される。図６（ａ）では、この接合部３ｆ付近が部分的に拡大された分解斜視図が示されている。ここでは、図２に図示されていたダイニングキャビネ３の扉３ｅ、３ｄは取り外されており図示されていない。
【００４０】
ダイニングキャビネット３の接合部３ｆを構成する側板３ａ、３ｃのうち、片側の側板３ａの接合面３ｇに溝（電源溝、配線溝）３ｂを形成する。そして、電源供給ボックス１３から対面カウンター１１の底板１２ａの下方（裏面）に沿って延ばされた電源コード１８を、この溝３ｂに挿通させる。すなわち、これが、上述したダイニングキャビネット３の側板内に沿って電源コード１８を通すという意味である。なお、片側の側板３ａだけでなく、両側の側板３ａ、３ｃの接合面に溝を形成し、電源コード１８を挿通させることにしても良い。
【００４１】
ダイニング３キャビネットの側板内に沿って電源コード１８を通すことにより、電源コード１８が目立たず、かつ、邪魔にならない。その上、床方向から電源を取ることができるため、リフォームの際における対面キッチン１の施工性の向上を一層図ることができる。
【００４２】
（変形例）
図４は、本発明の変形例に係る対面キッチン３１の部分的な拡大図である。対面キッチン３１全体の外観構成は、図１及び図２で示した実施例１に係る対面キッチン１全体の外観構成とほぼ同様であり、対面キッチン３１全体の外観構成を示す図は省略している。図４に示される対面キッチン３１は、図３に示される実施例１の対面キッチン１と類似し、同一の部分には、同一の参照符号を付して、以下、説明を省略する。
【００４３】
本変形例に係る対面キッチン３１においても、実施例１と同様に、電源供給ボックス３３が、トールキャビネット４の側方に位置する対面カウンター１１の端部１１ａに備えられている。また、トールキャビネット４の対面カウンター１１側の側板３４ａの内面３４ｇには、上下方向を長手方向とする溝３４ｂが形成されており、電源供給ボックス３３に接続されるべき電源からの電源コードは、この溝３４ｂに挿通される。
【００４４】
本変形例が実施例１と異なる特徴点は、照明器具１６用の照明スイッチ１５（図３参照）に代えて、電源供給ボックス３３に情報通信回線の接続口３５が備えられていることである。情報通信回線の接続口３５は、例えば、テレビ（ＴＶ）、ラジオ等のアンテナ線、電話線、ケーブルテレビ、光ファイバー等の通信回線用ケーブルの接続口が挙げられる。
【００４５】
電源供給ボックス３３に、コンセント１４に加えて情報通信回線の接続口３５が備えられることにより、オーディオ機器だけでなく、テレビ、ラジオ、電話、さらには、パーソナルコンピュータ等の情報端末機器といった情報通信機器を、対面キッチン３１近傍に配置するための設備が整う。したがって、例えばテレビ（ＴＶ）のアンテナ線を接続口３５に接続する場合、対面カウンター１１上や、開口収納部１２近傍の天板６上等に、テレビ（例えば液晶テレビ等）を容易に配置することができ、対面キッチン３１において調理作業を行いながら、その近傍でテレビを見ることができる。この場合、調理作業場所の近傍にテレビが配置されているため、調理作業場所とテレビの配置位置との距離が近くなり、調理作業場所内を移動しても音量の違いがそれほど変わらない。よって、調理作業場所（キッチンスペース）内を移動する都度、音量の調整を行う必要がなく、利便性が高まる。
【００４６】
対面キッチン３１における調理作業時以外は、対面カウンター１１上等に配置したテレビをダイニング側やリビング側に向けることにより、調理作業時以外においても、テレビを見ることができ、さらに利便性が良い。
【００４７】
なお、テレビのアンテナ線を接続口３５に接続する場合を特に詳述したが、その他、例えばラジオのアンテナ線を接続口３５に接続する場合や、オーディオ機器の電源コードをコンセント１４に接続して、調理作業を行いながら音声や音楽を聴く場合も、同様の効果が得られる。
【００４８】
また、ケーブルテレビ、光ファイバー等の通信回線用ケーブルや、ＬＡＮ（Local  Area  Network）用のケーブルを接続口３５に接続し、パーソナルコンピュータ等の情報端末機器を対面カウンター１１上や近傍に配置してもよい。これにより、例えばインターネットで検索したレシピを見ながら調理作業を行うことも可能である。
【００４９】
なお、図４に示す本変形例では、実施例１のように、トールキャビネット４の側板３４ａの外面３４ｈには、対面カウンター１１を照らす照明器具の取り付け位置が示されておらず、側板３４ａに照明器具の電源コードを通す孔は穿設されていない。しかし、本変形例においても、実施例１と同様に、側板３４ａの外面３４ｈに照明器具を取り付け、側板３４ａに孔を穿設して照明器具の電源コードを通し、側板３４ａの内面４３ｇに沿って配線してもよい。また、電源供給ボックス３３に、照明器具の点灯・消灯を行うための照明スイッチ１５を設けてもよい。
【実施例２】
【００５０】
図５は、本発明の実施例２に係る対面キッチ４１の部分的な拡大図である。対面キッチン４１全体の外観構成は、図１及び図２で示した実施例１に係る対面キッチン１全体の外観構成とほぼ同様であり、対面キッチン４１全体の外観構成を示す図は省略している。したがって、実施例１と同一の部分には、同一の参照符号を付して、説明を省略する。
【００５１】
本実施例の特徴は、電源供給ボックス１３（図１、図３参照）に替えて、対面カウンター１１にオーディオ機器４３を備えたことである。より具体的には、対面カウンター１１の下部に設けられた開口収納部１２内に、オーディオ機器４３が組み込まれている。つまり、図５に示すように、例えば、対面カウンター１１の両方の端部１１ａ、１１ｂであって、対面カウンター１１の下部に設けられていた開口収納部１２内の空間（スペース）の一部に、オーディオ機器４３が備えられている（組み込まれている）。
【００５２】
オーディオ機器４３は、オーディオ機器本体４３ｃとスピーカ４３ａ、４３ｂとを備えている。一方のスピーカ４３ａは、オーディオ機器本体４３ｃと隣接して、開口収納部１２内のスペース（空間）の一部であって、かつ、対面カウンター１１のトールキャビネット側の端部１１ａに組み込まれている。他方のスピーカ４３ｂは、開口収納部１２内のスペースの一部であって、かつ、対面カウンター１１の他方の端部１１ｂに組み込まれている。このように、各スピーカ４３ａ、４３ｂは、対面カウンター１１の両方の端部１１ａ、１１ｂに位置しており、互いのスピーカ４３ａ、４３ｂ間で所定の距離が保たれている。したがって、対面キッチン４１のキッチンスペースにおいて頻繁に調理作業場所を動いても、それほど大きな音量調整を行う必要がなく、音楽等を聞きながら調理作業に集中することができ、利便性が高められる。
【００５３】
オーディオ機器４３として、例えば自動車に搭載されるカーオディオ機器を、対面カウンター１１の開口収納部１２内に組み込むことが可能である。この場合、自動車のカーオーディオ機器の進歩に応じて、オーディオ機器４３を容易に新しい型のオーディオ機器に更新することができる。このようなオーディオ機器４３は、例えばテレビ（ＴＶ）、ＣＤ、ＭＤ等の機器設備を有しており、使用者の好みに応じた機器設備の組み合わせ（選定）が可能である。
【００５４】
また、対面カウンター１１の開口収納部１２内のスペースの一部にオーディオ機器４３を組み込む構成としているので、意匠性が高いと共に、オーディオ機器４３を配置する場所を取らず、調理作業の妨げとならないため、調理作業の効率を図ることができる。
【００５５】
なお、オーディオ機器４３は、必ずしもスピーカ４３ａ、４３ｂを備えていなくてもよいが、スピーカ４３ａ、４３ｂを備える方が、スピーカ４３ａ、４３ｂの組み込み位置による上記音量調整の不要といった効果や音響効果を得ることができる点で好ましい。
【００５６】
オーディオ機器４３に接続される電源コードの配線位置は、実施例１で述べたのと同様に、トールキャビネット４の側板４ａに形成された溝（図５には図示せず）に挿通してもよい。（図２の点線Ａ参照）また、他の配線位置として、トールキャビネット４を構成する、側板４ａ以外の他の壁面の内側（例えばレンジ９側の仕切壁の内面、トールキャビネット４の底板の内面や、トールキャビネット４内部の仕切板等）に沿って、オーディオ機器４３に接続される電源コードを通してもよい（図２の点線B参照）。また、対面カウンター１１の底板（床板、底面の板）１２ａ（図３（ａ）参照）の下方（裏面）、及び、対面カウンター１１下方に位置するダイニングキャビネット３の側板内に沿って、オーディオ機器４３に接続される電源コードを通してもよい（図２の点線Ｃ参照）。
【００５７】
本実施例では、実施例１で述べた電源供給ボックス１３（図１、図３（ａ）参照）に替えて、オーディオ機器４３を備えることとしたが、オーディオ機器４３と共に電源供給ボックスを備えることにしてもよい。この場合、オーディオ機器４３と共に備えられた電源供給ボックスから、オーディオ機器４３の電源を取ることができる。さらには、オーディオ機器４３と共に、又はオーディオ機器４３に替えてパーソナルコンピュータ等の情報端末機器を備える（開口収納部１２のスペースの一部に組み込む）ことにしてもよい。
【００５８】
その他、本実施例においても実施例１で述べたのと同様の効果が得られる。
【実施例３】
【００５９】
図６（ｂ）は、本発明の実施例３に係る対面キッチン５１の部分的な拡大図である。対面キッチン５１全体の外観構成は、図１及び図２に示した実施例１に係る対面キッチン１全体の外観構成と類似するため、対面キッチン５１全体の外観構成を示す図は省略している。以下、実施例１と同一の部分には、同一の参照符号を付して、説明を省略する。
【００６０】
本実施例の特徴は、対面キッチン５１において、電源供給ボックス５３を対面カウンター、より具体的には、対面カウンター１１の下部に設けられた開口収納部１２に（開口収納部１２内に）備えることである。本実施例では、図６（ｂ）に示されるように、電源供給ボックス５３は、開口収納部１２の中央付近に立設する仕切板１２ｂに隣接して、開口収納部１２内に組み込まれている。電源供給ボックス５３には、例えば、コンセント５４、照明器具５６、及び照明器具５６の点灯・消灯を行うための照明スイッチ５５が設けられている。なお、この他に既に上述した変形例と同様に、テレビやラジオのアンテナ線、電話線、ケーブルテレビ線・光ファイバー等の情報通信回線の接続口を設けても良い。照明器具５６は、電源供給ボックス５３の開口収納部１２内に面した側面５３ａに設けられており、開口収納部１２内を照らすことができる。
【００６１】
電源供給ボックス５３に接続された電源コードの配線位置は、既に実施例１、実施例２で述べたように、対面カウンター１１の底板（床板、底面の板）１２ａの下方（裏面）、及び、対面カウンター１１下方に位置するダイニングキャビネット３の側板内に沿って通すことができる（図２の点線Ｃ参照）。
【００６２】
また、他の配線位置として、電源供給ボックス５３から対面カウンター１１の底板（床板、底面の板）１２ａの下方（裏面）に沿って通した電源コードを、実施例１と同様に、トールキャビネット４の側板４ａの内面に形成された溝（図６（ｂ）には図示せず）に挿通し、天井から電源へと接続することにしてもよい（図２の点線Ａ参照）。
【００６３】
また、さらに他の配線位置として、電源供給ボックス５３から対面カウンター１１の底板（床板、底面の板）１２ａ下方（裏側）に沿って通した電源コードを、トールキャビネット４を構成する、側板４ａ以外の他の壁面の内側（例えばレンジ９側の仕切壁の内面、トールキャビネット４の底板の内面や、取るキャビネット４内部の仕切板等）に沿って通してもよい（図２の点線Ｂ参照）。
【００６４】
本実施例においても上記各実施例１、２で述べたのと同様の効果が得られる。
【実施例４】
【００６５】
図７は、本発明の実施例４に係る対面キッチン６１の部分的な拡大図である。対面キッチン６１全体の外観構成は、図１及び図２で示した実施例１に係る対面キッチン１全体の外観構成と類似し、対面キッチン６１全体の外観構成を示す図は省略している。本実施例においても、実施例１と同一の部分には、同一の参照符号を付して、説明を省略する。
【００６６】
本実施例では、トールキャビネット４の対面カウンター１１側の側板４ａに、さらにサイドパネル６４ａが接合される。なお、図７には、サイドパネル６４ａが側板４ａに接合される前の状態が示されている。サイドパネル６４ａは、矢印Ｙで示される方向に移動されて側板４ａに接合される。
【００６７】
本実施例の特徴は、対面カウンター１１に電源供給ボックス７３を設けることに加えて、さらに、トールキャビネット４の側板部であるサイドパネル６４ａに電源供給ボックス６３を設けたことである。電源供給ボックス７３は、実施例１やその変形例と同様に、トールキャビネット４の側方であって対面カウンター１１の端部１１ａに設けられている（備えられている）。対面カウンター１１の端部１１ａに設けられた電源供給ボックス７３には、例えばコンセント７４と、テレビのアンテナ線や電話回線等の情報通信回線の接続口７５とが設けられている。一方、サイドパネル６４ａに設けられた電源供給ボックス６３には、例えばコンセント６４と、対面カウンター１１を照らす照明器具６６用の照明スイッチ６５とが設けられている。
【００６８】
サイドパネル６４ａには、電源供給ボックス６３、７３に接続される電源コードを挿通させる溝（電源溝）６４ｂが形成されている。溝（電源溝）６４ｂは、サイドパネル６４ａの内面６４ｇに、上下方向が長手方向となるように形成されている。電源からの電源コードを、天井を伝って配線し、サイドパネル６４ａの溝６４ｂに挿通することにより、電源供給ボックス６３、７３に接続することができる。なお、電源供給ボックス７３の上面７３ａには、サイドパネル６４ａの溝６４ｂに挿通した電源コードを通すための孔７３ｂが穿設されている、この孔７３ｂを通された電源コードが、電源供給ボックス７３に接続される。
【００６９】
また、サイドパネル６４ａの外面６４ｈには、対面カウンター１１を照らす照明器具６６が取り付けられている。電源供給ボックス６３に接続された照明器具６６用の電源コードは、溝６４ｂに挿通されて照明器具６６へと配線接続される。
【００７０】
上述のように、天井からトールキャビネット４の側板部であるサイドパネル６４ａを経由して、サイドパネル６４ａ及び対面カウンター１１に設けられた電源供給ボックス６３、７３へ電源コードの配線接続を行う。上述したように、電源コードはサイドパネル６４ａの内面６４ｇに形成された溝６４ｂを通って配線されるので、外側から電源コードが見えず、見栄えも良い。
【００７１】
なお、本実施例では、サイドパネル６４ａに溝６４ｂを形成したが、トールキャビネット４の側板４ａの外面４ｈに溝を形成することにしてもよい。この溝を形成した側板４ａにサイドパネル６４ａを接合し、この溝に電源供給ボックス６３、７３に接続される電源コードを挿通する。この場合も同様に、電源コードが外側から見えず、見栄えを良くすることができる。本実施例のように溝６４ｂが形成されるサイドパネル６４ａや、上述のように、電源コードを挿通させる溝が形成される場合の側板４ａを含めて、本明細書では側板部と呼ぶ。
【００７２】
トールキャビネット４の側板部と、対面カウンター１１とに電源供給ボックス６３、７３を設けることで、コンセントや情報通信回線の接続口の数を増やすことができ、複数の家電製品を対面キッチン６１において使用する場合にも対応できるので、より利便性が高まる。
【００７３】
なお、本実施例では、電源供給ボックス６３、７３を、トールキャビネット４の側板部と対面カウンター１１とに設けたが、トールキャビネット４の側板部に電源供給ボックス６３を設けるのみとしてもよい。特に、トールキャビネット４の側板部としてサイドパネル６４ａに電源供給ボックス６３や照明器具６６を設ける構成では、電源供給ボックス６３や照明器具６６をサイドパネル６４ａと共に容易に後付けすることができるので、後付け工事の簡素化を図ることができ、施工性をより一層向上させることができる。
【００７４】
本実施例においても、上記各実施例及び変形例と同様の効果が得られる。また、トールキャビネット４の側板部に電源供給ボックス６３を設けた構成と、上記各実施例及び変形例の対面カウンター１１に電源供給ボックス１３、３３、５３やオーディオ機器４３を備えた構成とを適宜組み合わせて実施しても良い。
【００７５】
以上、本発明に係る対面キッチンの最良の形態を実施例に基づいて説明したが、本発明は特にこのような実施例に限定されることなく、特許請求の範囲記載の技術的事項の範囲内でいろいろな実施例があることはいうまでもない。
【産業上の利用可能性】
【００７６】
本発明の活用例として、対面キッチンにおいて、種々の家電製品を同時に使用しつつ調理作業を行う場合、対面キッチンにおいて、テレビ、ラジオ、電話等から音楽や音声を聞きながら、また、インターネットでレシピを検索しつつ調理作業を行う場合が挙げられる。
【図面の簡単な説明】
【００７７】
【図１】キッチン側から見た実施例１に係る対面キッチン１の全体構成を示す斜視図である。
【図２】ダイニング側から見た実施例１に係る対面キッチン１の全体構成を示す斜視図である。
【図３】図３（ａ）は、電源供給ボックスを備えた実施例１に係る対面キッチン１の部分的な拡大図であり、図３（ｂ）は、電源、電源供給ボックス、及び照明器具の配置及び配線図を模式的に示す図である。
【図４】本発明の変形例に係る対面キッチンの部分的な拡大図である。
【図５】本発明の実施例２に係る対面キッチンの部分的な拡大図である。
【図６】図６（ａ）は、ダイニングキャビネットの内部を示す部分的な分解斜視図であり、図６（ｂ）は、本発明の実施例３に係る対面キッチンの部分的な拡大図である。
【図７】本発明の実施例４に係る対面キッチンの部分的な拡大図である。
【符号の説明】
【００７８】
１、３１、４１、５１、６１    対面キッチン
２    キッチンキャビネット
３    ダイニングキャビネット
３ａ、３ｃ    側板
３ｂ    溝
３ｄ、３ｅ    扉
３ｆ  接合部
３ｇ    接合面
４    トールキャビネット
４ａ、３４ａ    側板
４ｂ、３４ｂ、６４ｂ    溝
４ｃ    取り付け位置
４ｄ、７３ｂ    孔
４ｆ    点線
４ｇ、３４ｇ、６４ｇ    内面
４ｈ、３４ｈ、６４ｈ    外面
５、６４ａ    サイドパネル
６    天板
７    シンク
８    水栓
９    レンジ
１０    レンジフード
１１    対面カウンター
１１ａ、１１ｂ    端部
１２    開口収納部
１２ａ    底板
１２ｂ    仕切板
１３、３３、５３、６３、７３    電源供給ボックス
１３ａ、７３ａ    上面
１３ｂ、    側面
１４、５４、６４、７４    コンセント
１５、５５、６５    照明スイッチ
１６、５６、６６    照明器具
１７    電源
１８    電源コード
３５、７５    接続口
４３    オーディオ機器
４３ａ、４３ｂ    スピーカ
４３ｃ    オーディオ機器本体
【図１】
2005095337.tif 000003
【図２】
2005095337.tif 000004
【図３】
2005095337.tif 000005
【図４】
2005095337.tif 000006
【図５】
2005095337.tif 000007
【図６】
2005095337.tif 000008
【図７】
2005095337.tif 000009